(57)【要約】【課題】エスカレーターの新設、あるいは撤去工事における重量物であるトラスの搬送にあたり、床面養生作業の省略と床面損傷の回避を図る。【解決手段】プレントロリ１５にチェーンブロック１６を取り付けることにより垂下させ、その先端に吊り具１７を取り付ける。トラス１０には、予めバランスを考慮した位置に予め長さを決めた台付きロープ１８を両側から掛けておき、吊り具１７を介して台付きロープ１８をチェーンブロック１６で吊り上げ、プレントロリ１５に掛ける。トラス１０は、搬送作業者１９により、台付きロープ１８と吊り具１７を介してチェーンブロック１６により吊り上げられ、プレントロリ１５によりトロリービーム１４の長手方向に沿って横移動されて設置場所に搬送される。【選択図】図１
2009215044.tif 000002
【特許請求の範囲】
【請求項１】
エスカレーターを建造物に設置するとき、あるいは建造物から撤去するときにエスカレータートラスを搬送するエスカレータートラスの搬送方法において、
上記建造物の天井にトロリービームを設置し、上記トロリービームの長手方向に沿って移動する移動体にチェーンブロックを取り付けて垂下させ、上記チェーンブロックによりエスカレータートラスを吊り上げながら上記トロリービームの長手方向に上記エスカレータートラスを搬送することを特徴とするエスカレータートラスの搬送方法。
【発明の詳細な説明】
【技術分野】
【０００１】
この発明は、エスカレーターを建造物に設置するとき、あるいは建造物から撤去するときにエスカレータートラスを搬送するエスカレータートラスの搬送方法に関するものである。
【背景技術】
【０００２】
新設建造物にエスカレーターを設置するとき、あるいは既設建造物にエスカレーターを設置するときにおいては、エスカレータートラス（以下、単にトラスという。）が重量物であり長尺であることから、一般に、工場にてトラス本体を複数に分割した状態で荷造りして据付現場に出荷、搬入する方法が取られている。そして、据付現場において、分割されたトラスを設置場所へ搬送し、電動チェーンブロックなどで設置階床まで吊り上げて組み立てられる（例えば、特許文献１参照）。
【０００３】
ところで、従来、据付現場において、分割されたトラスを設置場所へ搬入するとき、あるいは設置場所から搬出するのに、図３、図４に示すように台車に乗せて搬送している。図３は分割されたトラスの下部部分を台車に乗せて搬送している状態を示す側面図であり、図４はその平面図である。
【０００４】
図３、図４において、トラス３０を台車３１に乗せ、この台車３１を矢印方向に横引きしながら搬送する。通常、床面３２には大理石あるいはタイル等が貼ってあるため、その保護のために養生シート３３が敷かれると共に、養生シート３３の上に所定サイズの複数のコンクリートパネル３４が並べて敷かれている。コンクリートパネル３４は、図４に見られるように長手方向を横にして、台車３１が通るのに必要な通路幅を確保している。そしてトラス３０が搬送された後方のコンクリートパネル３４を搬送方向前方に敷き替える作業を繰り返しながら、トラス３０を設置場所へ搬送する方法が取られている。
【０００５】
なお、搬送するためのローラと据付状態での支持部とを兼ねるキャスターをトラスに設け、トラスを搬送する方法もある（例えば、特許文献２参照）。
【０００６】
【特許文献１】特開平９−２７６７号公報（段落００１２、図８）
【特許文献２】特開２００１−１９９６６３号公報（段落００１３、図３）
【発明の開示】
【発明が解決しようとする課題】
【０００７】
従来のトラス搬送方法においては、上記のように床面を保護するために養生シートやコンクリートパネルの床面養生を設置してからトラスを乗せた台車を横引搬送しており、また、トラスが搬送された後方のコンクリートパネルを搬送方向前方に敷き替える作業を繰り返しながら、トラスを搬送していた。
【０００８】
エスカレーターの新設、あるいは撤去工事において、トラスの搬送は重量物であることから、搬送経路の床面養生は慎重かつ確実に行わなければならず、多大の時間と労力を費やしていた。特に、流通系のビルにおいては昼間営業し、夜間のみの工事を強いられており、複数台のバンクエスカレーターエ事は撤去から搬出、あるいは架設から搬入が何日も続く。このため、エレベータの設置が完了するまで、毎夜閉店後に床面養生を設置し、作業終了後取り外して昼間営業に備えることとなり、工期の長期化に繋がる問題があった。
【０００９】
この発明は上記のような問題を解決するためになされたもので、エスカレーターの新設、あるいは撤去工事における重量物であるトラスの搬送にあたり、床面養生作業の省略と床面損傷の回避を目的とするエスカレータートラスの搬送方法を提供するものである。
【課題を解決するための手段】
【００１０】
この発明に係るエスカレータートラスの搬送方法は、エスカレーターを建造物に設置するとき、あるいは建造物から撤去するときにエスカレータートラスを搬送するエスカレータートラスの搬送方法において、建造物の天井にトロリービームを設置し、トロリービームの長手方向に沿って移動する移動体にチェーンブロックを取り付けて垂下させ、チェーンブロックによりエスカレータートラスを吊り上げながらトロリービームの長手方向にエスカレータートラスを搬送するものである。
【発明の効果】
【００１１】
この発明に係るエスカレータートラスの搬送方法によれば、建造物の床面に損傷を与える恐れがなくなると共に、床面養生作業が省略できるので、エスカレーター設置工期の短縮化を図ることができる。
【発明を実施するための最良の形態】
【００１２】
以下、添付の図面を参照して、この発明に係るエスカレータートラスの搬送方法について好適な実施の形態を説明する。なお、この実施の形態によってこの発明が限定されるものではない。
【００１３】
実施の形態１．
図１はこの発明の実施の形態１に係るエスカレータートラスの搬送方法を説明する側面図であり、図２はその要部を示す斜視図である。
図１および図２において、先ず、エスカレータートラス（以下、背景技術の説明と同様にトラスという。）を横引き搬送するための事前準備として、建造物の天井１０の所要個所に複数の穴１１ａ，１１ｂを形成し（図１では２個所に穴を形成した場合を示している。）、この穴１１ａ，１１ｂに支持腕１２ａ，１２ｂを挿通させる。
【００１４】
支持腕１２ａ，１２ｂの一端は、天井１０の裏側の躯体１３に保持され、他端はトロリービーム１４を例えばねじ（図示せず）により固定保持する。即ち、トロリービーム１４は、支持腕１２ａ，１２ｂにより天井１０に設置され、このトロリービーム１４の長手方向に沿って移動体、例えばプレントロリ１５が移動するように準備する。
【００１５】
次に、プレントロリ１５にチェーンブロック１６を取り付けることにより垂下させ、その先端に吊り具１７を取り付ける。トラス１０には、予めバランスを考慮した位置に予め長さを決めた台付きロープ１８を両側から掛けておき、吊り具１７を介して台付きロープ１８をチェーンブロック１６で吊り上げ、プレントロリ１５に掛ける。
【００１６】
トラス１０は、搬送作業者１９により、台付きロープ１８と吊り具１７を介してチェーンブロック１６により吊り上げられ、プレントロリ１５によりトロリービーム１４の長手方向に沿って横移動されて設置場所に搬送される。なお、この搬送時にトラス３０は床面３２に荷重を掛けないので、床面３２を保護するための養生が不要となり、従来のように、養生シート３３やコンクリートパネル３４（図３参照）を並べて敷く必要がなくなる。
【００１７】
また、設置場所においては、例えば、上記背景技術で説明した特開平９−２７６７号公報に開示されているようにして分割したトラス３０が組み立てられてトラス本体が構成される。なお、トラス３０の搬送後においては、吊り具１７、チェーンブロック１６、プレントロリ１５、トロリービーム１４、支持腕１２ａ，１２ｂを取り外し、天井１０に形成した穴１１ａ，１１ｂを塞ぐことにより搬送作業の完了となる。
【００１８】
上記説明においては、エスカレーターを建造物に設置するときのエスカレータートラスの搬送方法について説明したが、建造物からエスカレーターを撤去するときにエスカレータートラスを搬送する場合においても同様の方法により実施することができる。
【００１９】
以上のように、この発明の実施の形態１に係るエスカレータートラスの搬送方法によれば、天井１０に設置したトロリービーム１４を活用するトラス３０の搬送により、繰り返し行われる床面養生の設置、取り外し作業の必要が無くなり、トラス３０の搬送作業時間が大幅に削減できる。これにより、多台数のトラス３０の搬送が可能となり、エスカレーターの設置工期を短縮化できることになる。
【００２０】
また、トラス３０の搬出入を行う１階は、建造物のメインフロアーでもあり、高級石材や、高級タイルが床面に敷き詰めてあることも多く、床面に荷重を掛けない本方法は、床面損傷のトラブルからも開放される。なお、トロリービーム１４については、そのまま設置することにより次回改修工事、また建造物内の什器運搬にも幅広く活用でき、大きな効果が可能となる。
【産業上の利用可能性】
【００２１】
この発明に係るエスカレータートラスの搬送方法は、昼間営業し、夜間のみの工事を強いられる流通系ビルのエスカレーター設置時のエスカレータートラス搬送方法として利用できる。
【図面の簡単な説明】
【００２２】
【図１】この発明の実施の形態１に係るエスカレータートラスの搬送方法を説明する側面図である。
【図２】この発明の実施の形態１に係るエスカレータートラスの搬送方法を説明する要部斜視図である。
【図３】従来のエスカレータートラスの搬送方法を説明する側面図である。
【図４】従来のエスカレータートラスの搬送方法を説明する平面図である。
【符号の説明】
【００２３】
１０  天井
１１ａ，１１ｂ  穴
１２ａ，１２ｂ  支持腕
１３  躯体
１４  トロリービーム
１５  プレントロリ
１６  チェーンブロック
１７  吊り具
１８  台付きロープ
１９  搬送作業者
３０  トラス
３１  台車
３２  床面
３３  養生シート
３４  コンクリートパネル
【図１】
2009215044.tif 000003
【図２】
2009215044.tif 000004
【図３】
2009215044.tif 000005
【図４】
2009215044.tif 000006